(57)【要約】【課題】本発明は、装置内の異物を効果的に吸着できる画像形成装置を提供することを目的とする。【解決手段】筐体２１と、筐体２１内に配置され、用紙Ｐにトナー像を転写する転写ユニット（転写ローラ６２）と、筐体２１内、かつ、転写ユニットの上方に配置され、トナー像を用紙Ｐに定着する定着ユニット（定着器７）と、定着ユニットの下方、かつ、転写ユニットの上方に、転写ユニット側からの異物を吸着するための第１フィルタ１００とを備えた画像形成装置（レーザプリンタ１）である。【選択図】図１
2014071269.tif 000002
【特許請求の範囲】
【請求項１】
筐体と、
前記筐体内に配置され、記録シートに現像剤像を転写する転写ユニットと、
前記筐体内、かつ、前記転写ユニットの上方に配置され、現像剤像を記録シートに定着する定着ユニットと、
前記定着ユニットの下方、かつ、前記転写ユニットの上方に、前記転写ユニット側からの異物を吸着するための第１フィルタとを備えたことを特徴とする画像形成装置。
【請求項２】
前記筐体内の空気を外部に排出する排気口を備え、
前記排気口は、前記定着ユニットの上方に配置され、
前記排気口の近傍において、前記定着ユニット側からの異物を吸着するための第２フィルタを備えたことを特徴とする請求項１に記載の画像形成装置。
【請求項３】
前記第２フィルタは、揮発性有機化合物を除去するための揮発性有機化合物除去フィルタであることを特徴とする請求項２に記載の画像形成装置。
【請求項４】
前記定着ユニットは、ゴム層を有する加圧ローラを有することを特徴とする請求項３に記載の画像形成装置。
【請求項５】
前記第２フィルタは、前記定着ユニットの上方において、略水平方向に広がるように配置されたことを特徴とする請求項２から請求項４のいずれか１項に記載の画像形成装置。
【請求項６】
前記第２フィルタは、前記定着ユニットの上方において、水平方向に対して斜めに配置され、下端部が下から見て前記定着ユニットと重ならない位置にあることを特徴とする請求項２から請求項４のいずれか１項に記載の画像形成装置。
【請求項７】
前記第２フィルタは、活性炭フィルタであることを特徴とする請求項２から請求項６のいずれか１項に記載の画像形成装置。
【請求項８】
前記第１フィルタは、トナーを除去するためのトナーフィルタを含むことを特徴とする請求項１から請求項７のいずれか１項に記載の画像形成装置。
【請求項９】
前記転写ユニットは、感光体と、前記感光体の表面を帯電させる帯電ユニットとを備え、
前記第１フィルタは、オゾンを除去するためのオゾンフィルタを含むことを特徴とする請求項１から請求項７のいずれか１項に記載の画像形成装置。
【請求項１０】
前記帯電ユニットは、帯電ワイヤを有するコロナ放電方式であることを特徴とする請求項９に記載の画像形成装置。
【請求項１１】
前記第１フィルタは、活性炭フィルタを含むことを特徴とする請求項１から請求項１０のいずれか１項に記載の画像形成装置。
【請求項１２】
少なくとも前記排気口の近傍には、前記筐体内の空気を外部へ排出するファンが配置されていないことを特徴とする請求項１から請求項１１のいずれか１項に記載の画像形成装置。
【請求項１３】
前記筐体内には、前記筐体内の空気を外部へ排出するファンが設けられていないことを特徴とする請求項１２に記載の画像形成装置。
【請求項１４】
前記転写ユニットから前記定着ユニットに搬送される記録シートをガイドするガイド部材を備え、
前記第１フィルタは、前記ガイド部材に対し、搬送される記録シート側と反対側に配置され、
前記ガイド部材は、貫通孔が形成されていることを特徴とする請求項１から請求項１３のいずれか１項に記載の画像形成装置。
【請求項１５】
前記第１フィルタは、搬送される記録シートに対して記録シートの印字面側に配置された表側フィルタと、搬送される記録シートに対して前記表側フィルタと反対側に配置された裏側フィルタとを有することを特徴とする請求項１から請求項１４のいずれか１項に記載の画像形成装置。
【発明の詳細な説明】
【技術分野】
【０００１】
本発明は、異物を吸着するためのフィルタを備えた画像形成装置に関する。
【背景技術】
【０００２】
従来、記録シートに現像剤像を転写する転写ユニットと、転写ユニットの上方に配置された定着ユニットと、定着ユニットの上方に配置された排気口とを備えた画像形成装置が知られている（特許文献１参照）。この技術では、排気口をフィルタで覆っており、このフィルタにより揮発性有機化合物（Volatile Organic Compounds、以下「ＶＯＣ」という。）等の画像形成装置内で発生する異物を吸着している。
【先行技術文献】
【特許文献】
【０００３】
【特許文献１】特開２０１０−１３４１３３号公報
【発明の概要】
【発明が解決しようとする課題】
【０００４】
しかしながら、前記した構成であると、フィルタが定着ユニットの上方に配置されているので、定着ユニットから上昇してくる熱によりフィルタが高温になる場合がある。フィルタは高温になると吸着性能が低下するので、装置内の異物を吸着できないという問題が生じる。
【０００５】
そこで、本発明は、装置内の異物を効果的に吸着できる画像形成装置を提供することを目的とする。
【課題を解決するための手段】
【０００６】
前記した目的を達成するため、本発明の画像形成装置は、筐体と、筐体内に配置され、記録シートに現像剤像を転写する転写ユニットと、筐体内、かつ、転写ユニットの上方に配置され、現像剤像を記録シートに定着する定着ユニットと、定着ユニットの下方、かつ、転写ユニットの上方に、転写ユニット側からの異物を吸着するための第１フィルタとを備える。
【０００７】
定着ユニットの上方にフィルタを配置する構成だと、定着ユニットからの熱により、フィルタの吸着性能が低下するが、このような構成によれば、定着ユニットの下方に第１フィルタを設けたので、第１フィルタにおける定着ユニットからの熱の影響を少なくすることができる。そのため、第１フィルタの吸着性能を低下させることなく、転写ユニット側からの異物を第１フィルタにより効果的に吸着することができる。
【０００８】
前記した画像形成装置は、筐体内の空気を外部に排出する排気口を備え、排気口は、定着ユニットの上方に配置される構成とすることができる。
この構成において、画像形成装置は、排気口の近傍において、定着ユニット側からの異物を吸着するための第２フィルタを備える構成とすることができる。
【０００９】
このような構成によれば、定着ユニットからの異物を第２フィルタにより吸着することができる。
【００１０】
前記した構成において、第２フィルタは、揮発性有機化合物を除去するための揮発性有機化合物除去フィルタとすることができる。
【００１１】
このような構成によれば、定着ユニットから特に発生しやすいＶＯＣを第２フィルタにより効率よく吸着することができる。
【００１２】
前記した構成において、定着ユニットは、ゴム層を有する加圧ローラを有する構成とすることができる。
【００１３】
前記した構成において、第２フィルタは、定着ユニットの上方において、略水平方向に広がるように配置された構成とすることができる。
【００１４】
このような構成によれば、定着ユニットの真上に第２フィルタを広がるように配置するので、定着ユニットから上に昇ってくる異物を第２フィルタにより吸着することができる。
【００１５】
前記した構成において、第２フィルタは、定着ユニットの上方において、水平方向に対して斜めに配置され、下端部が下から見て定着ユニットと重ならない位置にある構成とすることができる。
【００１６】
このような構成によれば、第２フィルタで吸着した異物が定着ユニットに落ちるのを抑制することができる。
【００１７】
前記した構成において、第２フィルタは、活性炭フィルタである構成とすることができる。
【００１８】
前記した構成において、第１フィルタは、トナーを除去するためのトナーフィルタを含む構成とすることができる。
【００１９】
このような構成によれば、転写ユニットから飛散するトナーを、転写ユニットの近くに配置された第１フィルタにより効率よく吸着することができる。
【００２０】
前記した構成において、転写ユニットは、感光体と、前記感光体の表面を帯電させる帯電ユニットとを備え、第１フィルタは、オゾンを除去するためのオゾンフィルタを含む構成とすることができる。
【００２１】
前記した構成において、帯電ユニットは、帯電ワイヤを有するコロナ放電方式である構成とすることができる。
【００２２】
このような構成によれば、帯電ユニットから発生するオゾンを、転写ユニットの近くに配置された第１フィルタにより効率よく吸着することができる。
【００２３】
前記した構成において、第１フィルタは、活性炭フィルタを含む構成とすることができる。
【００２４】
このような構成によれば、転写ユニット側からのＶＯＣ等の異物を第１フィルタにより吸着することができる。
【００２５】
前記した構成において、少なくとも排気口の近傍には、筐体内の空気を外部へ排出するファンが配置されていない構成とすることができる。
【００２６】
このような構成によれば、排気口の近傍にファンがない分、コスト削減を図ることができる。
【００２７】
前記した構成において、筐体内には、筐体内の空気を外部へ排出するファンが設けられていない構成とすることができる。
【００２８】
このような構成によれば、ファンを全く設けないので、コスト削減を図ることができる。
【００２９】
前記した画像形成装置は、転写ユニットから定着ユニットに搬送される記録シートをガイドするガイド部材を備える構成とすることができる。
この構成において、第１フィルタは、ガイド部材に対し、搬送される記録シート側と反対側に配置され、ガイド部材は、貫通孔が形成されている構成とすることができる。
【００３０】
ガイド部材に貫通孔が形成されていないと、第１フィルタにより異物を吸着しにくいが、このような構成によれば、ガイド部材に貫通孔が形成されているので、貫通孔を通過した異物を第１フィルタにより吸着することができる。
【００３１】
前記した構成において、第１フィルタは、搬送される記録シートに対して記録シートの印字面側に配置された表側フィルタと、搬送される記録シートに対して表側フィルタと反対側に配置された裏側フィルタとを有する構成とすることができる。
【００３２】
このような構成によれば、表側フィルタおよび裏側フィルタにより異物を効率よく吸着できる。
【発明の効果】
【００３３】
本発明によれば、定着ユニットの下方に第１フィルタを設けたので、第１フィルタにおける定着ユニットからの熱の影響を少なくすることができる。そのため、第１フィルタの吸着性能を低下させることなく、転写ユニット側からの異物を第１フィルタにより効果的に吸着することができる。
【図面の簡単な説明】
【００３４】
【図１】本発明の実施形態に係るレーザプリンタを示す断面図である。
【図２】第１フィルタおよび第２フィルタ周辺の拡大図である。
【図３】第１変形例に係る第１フィルタおよび第２フィルタ周辺の拡大図である。
【図４】第２変形例に係るカラープリンタを示す断面図である。
【発明を実施するための形態】
【００３５】
次に、本発明の一実施形態について、適宜図面を参照しながら詳細に説明する。なお、以下の説明においては、まず、本発明の一実施形態に係る画像形成装置の一例としてのレーザプリンタの全体構成を説明した後、本発明の特徴部分を詳細に説明する。
【００３６】
以下の説明において、方向は、レーザプリンタ使用時のユーザを基準にした方向で説明する。すなわち、図１において、紙面に向かって左側を「前側」、紙面に向かって右側を「後側」とし、紙面に向かって奥側を「左側」、紙面に向かって手前側を「右側」とする。また、紙面に向かって上下方向を「上下方向」とする。
【００３７】
＜レーザプリンタの概略構成＞
図１に示すように、レーザプリンタ１は、装置本体２と、記録シートの一例としての用紙Ｐを供給するためのフィーダ部３と、露光部４と、用紙Ｐに画像を形成するための画像形成部５と、排出部８とを備えている。
【００３８】
装置本体２は、筐体２１とフロントカバー２２を備えている。筐体２１は、その上部に、後述する排出部８により筐体２１外へ排出された用紙Ｐが載置される排出トレイ９が設けられている。また、筐体２１は、排出トレイ９の上面の後端部から上方へ延びる壁を有しており、この壁には、排出部８により排出される用紙Ｐが通る排出口２１Ａが形成されている。
【００３９】
そして、筐体２１は、その前部に用紙Ｐを差し込むための差込口２１Ｂを有している。
フロントカバー２２は、筐体２１の前面を覆うカバーであり、下端部を中心にして前後に回動可能となるように筐体２１に支持されている。
【００４０】
フィーダ部３は、装置本体２の下方に位置し、差込口２１Ｂに差し込まれた用紙Ｐを載置するための給紙トレイ３１と、給紙トレイ３１上の用紙Ｐを画像形成部５に向けて給紙する給送部３２とを備えている。
【００４１】
給紙トレイ３１は、筐体２１の下部に配置される用紙載置板３１Ａと、前述したフロントカバー２２とによって構成されている。
用紙載置板３１Ａは、給紙トレイ３１の筐体２１内の部分を構成し、フロントカバー２２は、前側に倒した状態において、給紙トレイ３１の筐体２１外の部分を構成している。
【００４２】
給送部３２は、給紙ローラ３２Ａおよび分離ローラ３２Ｂと、分離パッド３２Ｃとを主に備えている。給紙ローラ３２Ａは、用紙載置板３１Ａの後端の上に配置されている。分離ローラ３２Ｂは、給紙ローラ３２Ａよりも用紙Ｐの搬送方向下流側において、分離パッド３２Ｃと対向して配置されている。
【００４３】
このフィーダ部３では、フロントカバー２２を前側に倒して給紙トレイ３１を形成した後で、この給紙トレイ３１上に用紙Ｐを載せる。そして、用紙載置板３１Ａが回動することによって、給紙トレイ３１上に載置された用紙Ｐに給紙ローラ３２Ａが接触する。この状態で、給紙ローラ３２Ａが回転することで、給紙トレイ３１上に載置された用紙Ｐが分離ローラ３２Ｂへ送り出され、送り出された用紙Ｐが、分離ローラ３２Ｂと分離パッド３２Ｃとの間で１枚ずつに分離されて搬送経路３３を通って画像形成部５に供給される。
【００４４】
搬送経路３３は、給送部３２の上方、かつ、画像形成部５（感光ドラム６１と転写ローラ６２の間）の下方に設けられる経路であり、主に後述するガイド部材６５により形成されている。
【００４５】
露光部４は、筐体２１内の前側で、給紙トレイ３１と排出トレイ９の間に設けられ、後述する感光体の一例としての感光ドラム６１から間をおいて配置されている。露光部４は、図示しないレーザ発光部、ポリゴンミラー、レンズおよび反射鏡などを備えている。この露光部４では、レーザ光を、感光ドラム６１の表面上に高速走査にて照射する。
【００４６】
画像形成部５は、給送部３２の上方に配置され、プロセスカートリッジ６と、定着ユニットの一例としての定着器７とを備えている。
【００４７】
プロセスカートリッジ６は、筐体２１内において露光部４の後方に設けられている。プロセスカートリッジ６は、感光ドラム６１や、転写ユニットの一例としての転写ローラ６２、帯電ユニットの一例としての帯電器６３、符号を省略して示す現像ローラ、供給ローラおよびトナー収容室などを備えている。
【００４８】
転写ローラ６２は、感光ドラム６１の後側に隣接して配置されており、転写時に定電流制御によって転写バイアスが印加される。
帯電器６３は、感光ドラム６１の前斜め上方に対向して配置されており、帯電ワイヤからコロナ放電を発生させ、感光ドラム６１の表面を一様に帯電させるように構成されている。
【００４９】
このプロセスカートリッジ６では、回転する感光ドラム６１の表面が、帯電器６３により一様に帯電された後、露光部４からのレーザ光の高速走査により露光される。これにより、露光された部分の電位が下がって、感光ドラム６１の表面に画像データに基づく静電潜像が形成される。
【００５０】
次いで、トナー収容室内に収容されたトナーが現像ローラによって感光ドラム６１の静電潜像に供給され、感光ドラム６１の表面上にトナー像（現像剤像）が形成される。その後、感光ドラム６１と転写ローラ６２の間で用紙Ｐが挟まれることで、感光ドラム６１の表面に担持されているトナー像が用紙Ｐ上に転写される。この用紙Ｐは、搬送経路６４を通って転写ローラ６２から定着器７に向けて搬送される。
【００５１】
搬送経路６４は、転写ローラ６２の上方、かつ、定着器７の下方に設けられる経路であり、主にガイド部材６５により形成されている。
【００５２】
ガイド部材６５は、筐体２１と一体に構成されており、下側の搬送経路３３を形成する下側部分６５Ａと、上側の搬送経路６４を形成する上側部分６５Ｂとを有し、プロセスカートリッジ６の後方を回り込むように略上下方向に延びている。
【００５３】
ガイド部材６５の下側部分６５Ａは、フィーダ部３から画像形成部５へ用紙Ｐをガイドする部分であり、分離ローラ３２Ｂから上方に向けて感光ドラム６１と転写ローラ６２の間の下側の位置まで延びている。
【００５４】
ガイド部材６５の上側部分６５Ｂは、転写ローラ６２から定着器７に搬送される用紙Ｐをガイドする部分であり、感光ドラム６１と転写ローラ６２の間の上側の位置から上方へ向けて定着器７の加熱ローラ７１と加圧ローラ７２の間の下側の位置まで延びている。なお、ガイド部材６５の下側部分６５Ａおよび上側部分６５Ｂは、別部材としてもよい。
【００５５】
定着器７は、筐体２１内において、プロセスカートリッジ６（転写ローラ６２）の上方に配置されており、主に、加熱ローラ７１と、加圧ローラ７２と、定着筐体７３とを備えている。
【００５６】
加熱ローラ７１は、用紙Ｐを加熱する部材であり、定着筐体７３内に設けられる。加熱ローラ７１の内側には、ハロゲンランプ等の熱源が設けられている。
加圧ローラ７２は、ゴム層を有し、加熱ローラ７１との間で用紙Ｐを挟持して搬送する部材であり、加熱ローラ７１の後斜め上側に設けられている。
【００５７】
そして、このように構成される定着器７では、用紙Ｐ上に転写されたトナー像を、用紙Ｐが加熱ローラ７１と加圧ローラ７２との間を通過する間に熱定着している。なお、定着器７で熱定着された用紙Ｐは、定着器７の下流側に配置される排出部８へ搬送される。また、定着器７の下方、かつ、転写ローラ６２の上方には、第１フィルタ１００が配置されている。
【００５８】
定着器７の上方には、筐体２１内の空気を外部に排出する排気口２３が設けられている。この排気口２３の下側には、第２フィルタ２００が設けられている。なお、定着器７の熱により定着器７から排気口２３へ向けて上昇する気流が発生するので、その気流につられて転写ローラ６２、第１フィルタ１００、定着器７、第２フィルタ２００、排気口２３の順に流れるような自然対流が発生するようになっている。
【００５９】
排出部８は、駆動ローラ８１と、駆動ローラ８１に接触するように配置され、駆動ローラ８１の駆動力を受けて従動回転する従動ローラ８２を有しており、駆動ローラ８１と従動ローラ８２との間で用紙Ｐを挟むことで当該用紙Ｐを搬送するようになっている。排出部８から排出された用紙Ｐは、排出口２１Ａを通って筐体２１外へ排出される。
【００６０】
［フィルタの構成］
次に、第１フィルタ１００および第２フィルタ２００の詳細構成について説明する。
図２に示すように、第１フィルタ１００は、主に、転写ローラ６２側からの異物（例えば、トナー、オゾン、ＶＯＣ等）を吸着するためのフィルタであり、定着器７の下方、かつ、転写ローラ６２の上方に配置されている。これにより、第１フィルタ１００における定着器７からの熱の影響を少なくすることが可能となっている。また、第１フィルタ１００における定着器７からの熱の影響が少ないので、第１フィルタ１００の吸着性能を低下させることなく、転写ローラ６２側からの異物を第１フィルタ１００により効果的に吸着することが可能となっている。
【００６１】
また、第１フィルタ１００は、転写ローラ６２と定着器７との間で搬送される用紙Ｐに対して前側（用紙Ｐの印字面側）に配置された表側フィルタ１１０と、用紙Ｐに対して後側（表側フィルタ１１０と反対側）に配置された裏側フィルタ１２０とを有している。そのため、表側フィルタ１１０および裏側フィルタ１２０により異物を効率よく吸着することが可能となっている。
【００６２】
表側フィルタ１１０は、定着器７の下方、かつ、転写ローラ６２の上方に設けられたフィルタ支持部１１３に支持されており、フィルタ支持部１１３に形成される開口１１３Ａを上から塞ぎ、かつ、前後左右方向に広がるように配置されている。そのため、開口１１３Ａを通った異物（図１の矢印Ｘ１参照）を、表側フィルタ１１０により吸着できるようになっている。
【００６３】
また、表側フィルタ１１０は、トナーフィルタ１１１と、トナーフィルタ１１１の上に配置される活性炭フィルタ１１２とにより構成されている。
【００６４】
トナーフィルタ１１１は、トナーを除去するためのフィルタであり、例えば、静電フィルタや、粉塵フィルタ等を用いることができる。そのため、トナーフィルタ１１１により転写ローラ６２から飛散するトナーを吸着することが可能となっている。
【００６５】
活性炭フィルタ１１２は、オゾンやＶＯＣを除去するためのフィルタである。そのため、転写ローラ６２側から発生するＶＯＣや、帯電器６３から発生するオゾンを転写ローラ６２の近くに配置された活性炭フィルタ１１２（第１フィルタ１００）により効率よく吸着することが可能となっている。
【００６６】
また、第１フィルタ１００の目を細かくして第１フィルタ１００の流路抵抗を大きくするような構成としてもよい。これにより、第１フィルタ１００周辺の空気の流れを遅くできるので、第１フィルタ１００によるオゾンの分解時間を確保できるようになる。
【００６７】
裏側フィルタ１２０は、図２（ｂ）に示すように、前述した表側フィルタ１１０と同様の構成であり、トナーフィルタ１２１と、トナーフィルタ１２１の後側に配置される活性炭フィルタ１２２とにより構成されている。この裏側フィルタ１２０は、ガイド部材６５の上側部分６５Ｂに設けられており、ガイド部材６５の上側部分６５Ｂに形成された貫通孔６５Ｃを後から塞ぎ、かつ、上下左右方向に広がるように配置されている。これにより、貫通孔６５Ｃを通過した異物（図１の矢印Ｘ２参照）を裏側フィルタ１２０により吸着することが可能となっている。
【００６８】
第２フィルタ２００は、定着器７側からの異物（主に、ＶＯＣ）を吸着するためのフィルタであり、筐体２１の排気口２３と対向する位置に排気口２３を覆うように設けられる。この第２フィルタ２００は、排気口２３全面を下から塞ぎ、かつ、定着器７の上方において、水平方向に広がるように配置されている。これにより、定着器７から上に昇ってくる異物（矢印Ｙ、Ｚ参照）を第２フィルタ２００により吸着することが可能となっている。
【００６９】
また、第２フィルタ２００として、主にＶＯＣを除去するために前述した活性炭フィルタが用いられる。これにより、定着器７から特に発生しやすいＶＯＣを第２フィルタ２００により効率よく吸着することが可能となっている。
【００７０】
また、第２フィルタ２００の目を粗くして第２フィルタ２００の流路抵抗を小さくするような構成としてもよい。これにより、排気口２３周辺の空気の流れを早くできるので、排気口２３から空気を排気しやすくなる。
【００７１】
また、少なくとも排気口２３の近傍には、筐体２１内の空気を外部に排出するファンが配置されていない。これにより、コスト削減を図ることが可能となっている。なお、ファンは、筐体２１内に全く設けなくてもよい。
【００７２】
以上、本発明の実施形態について説明したが、本発明は前記実施形態に限定されるものではない。具体的な構成については、本発明の趣旨を逸脱しない範囲で適宜変更が可能である。
【００７３】
＜第１変形例＞
前記実施形態では、第２フィルタ２００は、定着器７の上方において、水平方向に広がるように配置されていたが、本発明はこれに限定されず、図３に示すように、定着器７の上方において、前後方向（水平方向）に対して斜めに配置された第２フィルタ３００を用いてもよい。
【００７４】
この構成における排気口２４は、定着器７の後斜め上側（筐体２１の角部）に設けられている。排気口２４から前斜め下方に少し離れた位置で、かつ、定着器７側から見て排気口２４と重なる位置には、第２フィルタ３００が排気口２４と対向するように配置されている。
具体的に、第２フィルタ３００は、上端部３０１が筐体２１の上壁に支持され、下端部３０２が筐体２１の後壁に支持されており、下端部３０２は、下から見て定着器７と重ならない位置に配置されている。その他の構成は前記実施形態と同様であるので、説明を省略する。
【００７５】
この構成によれば、第２フィルタ３００で吸着した異物を、斜めに配置された第２フィルタ３００の下端部３０２から下に落とすことができる。そのため、第２フィルタ３００で吸着した異物が定着器７に落ちるのを抑制することができる。特に、異物が水滴と混ざって下に落ちるような場合に本構成は有効である。
【００７６】
＜第２変形例＞
前記実施形態では、モノクロのレーザプリンタ１を例示したが、例えば、図４に示すようにカラープリンタ４０１に本発明を適用してもよい。
カラープリンタ４０１は、図４に示すように、筐体４４０内に、用紙Ｐを供給する給紙部４２０と、供給された用紙Ｐに画像を形成する画像形成部４３０とを主に備えている。
【００７７】
給紙部４２０は、筐体４４０内の下部に設けられ、用紙Ｐを収容する給紙トレイ４２１と、給紙トレイ４２１から用紙Ｐを画像形成部４３０に搬送する給紙機構４２２とを主に備えている。給紙トレイ４２１内の用紙Ｐは、給紙機構４２２によって１枚ずつ分離されて画像形成部４３０に搬送される。
【００７８】
画像形成部４３０は、露光部４７０と、プロセス部４６０と、転写ユニット４８０と、定着ユニットの一例としての定着器４９０とから主に構成されている。
【００７９】
プロセス部４６０は、露光部４７０の上方に配置され、前後方向に沿って配列された４つのプロセスカートリッジ４６２と、プロセスカートリッジ４６２を保持する保持ケース４６１とを主に備えている。
【００８０】
プロセスカートリッジ４６２は、感光体の一例としての感光ドラム４６３と、帯電ユニットの一例としての帯電器４６４と、符号を省略して示す現像ローラ、供給ローラおよびトナー収容室などを備えている。
【００８１】
転写ユニット４８０は、プロセス部４６０の上方に設けられ、駆動ローラ４８１と、従動ローラ４８２と、駆動ローラ４８１および従動ローラ４８２の間に張設され、各感光ドラム４６３に対面して配置された無端状の中間転写ベルト４８３と、中間転写ベルト４８３を挟むように感光ドラム４６３と対向配置された４つの１次転写ローラ４８４と、中間転写ベルト４８３を挟むように駆動ローラ４８１と対向配置された２次転写ローラ４８５とを主に備えている。
【００８２】
転写ユニット４８０の上方、かつ、後述する定着器４９０の下方には、第１フィルタ５００が設けられている。
第１フィルタ５００は、図示しないフレームに設けられた表側フィルタ５１０と、図示しないガイド部材に設けられた裏側フィルタ５２０とを有している。詳細な構成については、前記実施形態と同様であるので説明を省略する。
【００８３】
定着器４９０は、転写ユニット４８０の後部上方に設けられ、加熱ローラ４９１と、加熱ローラ４９１と対向配置されて加熱ローラ４９１を押圧する加圧ローラ４９２とを主に備えている。
【００８４】
定着器４９０の上方には、筐体４４０内の空気を外部に排出する排気口４４２が設けられている。この排気口４４２には、第２フィルタ６００が設けられている。詳細な構成については、前記実施形態と同様であるので説明を省略する。
【００８５】
画像形成部４３０では、感光ドラム４６３の表面が、帯電器４６４により一様に帯電された後、露光部４７０からのレーザ光の高速走査によって露光されることで、感光ドラム４６３上に画像データに基づく静電潜像が形成される。また、トナー収容室内のトナーは、現像ローラによって感光ドラム４６３上の静電潜像に供給される。これにより、静電潜像が可視像化されて感光ドラム４６３上にトナー像（画像）が形成される。
【００８６】
各感光ドラム４６３上に形成された各色のトナー像は、中間転写ベルト４８３上に順次重ね合わせて転写される。そして、給紙部４２０から搬送された用紙Ｐが、中間転写ベルト４８３と２次転写ローラ４８５との間を搬送されることで、中間転写ベルト４８３上のトナー像が用紙Ｐに転写される。トナー像が転写された用紙Ｐは、加熱ローラ４９１と加圧ローラ４９２の間を搬送されることでトナー像が熱定着され、排紙ローラ４９３によって筐体４４０の上部に設けられた排紙トレイ４４１上に排出される。
【００８７】
このような構成であっても、転写ユニット４８０側からの異物は第１フィルタ５００により効果的に吸着できるなど、前記実施形態と同様の効果が得られる。
【００８８】
＜その他の変形例＞
前記実施形態では、第１フィルタ１００は、トナーフィルタおよび活性炭フィルタの２種類のフィルタで構成されていたが、本発明はこれに限定されず、１種類のフィルタで構成されていてもよいし、３種類以上のフィルタで構成されていてもよい。
【００８９】
前記実施形態では、貫通孔６５Ｃは、異物を通過させることができれば、その形状は特に限定されず、例えば、複数個形成されていてもよい。
【００９０】
前記実施形態では、裏側フィルタ１２０は、ガイド部材６５に設けられていたが、搬送される用紙Ｐに対して表側フィルタ１１０と反対側に配置されていれば、別の部材に設けられていてもよい。
【００９１】
前記の各実施形態は、適宜組み合わせて適用することができる。
【符号の説明】
【００９２】
１      レーザプリンタ
７      定着器
２１    筐体
２３    排気口
２４    排気口
６１    感光ドラム
６２    転写ローラ
６３    帯電器
６５    ガイド部材
６５Ｃ  貫通孔
７１    加熱ローラ
７２    加圧ローラ
１００  第１フィルタ
１１０  表側フィルタ
１１１  トナーフィルタ
１１２  活性炭フィルタ
１２０  裏側フィルタ
１２１  トナーフィルタ
１２２  活性炭フィルタ
２００  第２フィルタ
３００  第２フィルタ
３０２  下端部
４０１  カラープリンタ
４４０  筐体
４４２  排気口
４６３  感光ドラム
４６４  帯電器
４８０  転写ユニット
４８１  駆動ローラ
４８２  従動ローラ
４８３  中間転写ベルト
４８４  １次転写ローラ
４８５  ２次転写ローラ
４９０  定着器
４９１  加熱ローラ
４９２  加圧ローラ
５００  第１フィルタ
５１０  表側フィルタ
５２０  裏側フィルタ
６００  第２フィルタ
Ｐ      用紙
【図１】
2014071269.tif 000003
【図２】
2014071269.tif 000004
【図３】
2014071269.tif 000005
【図４】
2014071269.tif 000006